(57)【要約】【目的】本発明は梱包の処理時間が短い、上下動する上ごてと下ごてとの間で布団等を圧縮する布団等の圧縮梱包装置の提供を目的とする。【構成】本発明は以上の目的達成のために、第一に、操作に障害となる前端及び前端左右以外の部分を３本または４本のシリンダー装置により支持されながら力を受ける上ごてで樹脂フィルム袋に入れた布団等を圧縮し、その状態で該フィルム袋の開口部を自動または手動でシールして前記フィルム袋を密閉する布団等の圧縮梱包装置第二に、左右一対のシリンダー装置により力を受けガイド手段で上下動をガイドされる上ごてで樹脂フィルム袋に入れた布団等を圧縮し、その状態で該フィルム袋の開口部を自動または手動でシールして前記フィルム袋を密閉する布団等の圧縮梱包装置以上の２種の圧縮梱包装置を提案する案するものである。【選択図】図２
2019069813.tif 000002
【特許請求の範囲】
【請求項１】
操作に障害となる前端及び前端左右以外の部分を３本または４本のシリンダー装置により支持されながら力を受ける上ごてで樹脂フィルム袋に入れた布団等を圧縮し、その状態で該フィルム袋の開口部を自動または手動でシールして前記フィルム袋を密閉する圧縮する布団等の圧縮梱包装置
【請求項２】
左右一対のシリンダー装置により力を受けガイド手段で上下動をガイドされる上ごてで樹脂フィルム袋に入れた布団等を圧縮し、その状態で該フィルム袋の開口部を自動または手動でシールして前記フィルム袋を密閉する布団等の圧縮梱包装置
【発明の詳細な説明】
【技術分野】
【０００１】本発明は布団等を圧縮し樹脂フィルム袋に梱包する布団等を均一に押して圧縮する布団等の圧縮梱包装置に関するものである。
【背景技術】
【０００２】従来において布団等を樹脂フィルム袋に入れて吸引装置で袋内部の空気を吸引して減圧し、布団等を圧縮状態にして梱包する減圧式の布団等の圧縮梱包装置は公知であるが、それらは減圧に時間がかかり、ひとつの梱包に例えば３分程度かかっていた。
さらに従来の減圧式の布団等の圧縮梱包装置は減圧機能が必要なためどうしても装置が複雑になり、しかも高価になっていた。
【発明が解決しようとする課題】
【０００３】本発明は以上の従来の課題を解決し、梱包の処理時間が短い、上下動する上ごてと下ごてとの間で布団等を圧縮する布団等の圧縮梱包装置の提供を目的とする。
【課題を解決するための手段】
【０００４】本発明は以上の目的達成のために、
第一に、操作に障害となる前端及び前端左右以外の部分を３本または４本のシリンダー装置により支持されながら力を受ける上ごてで樹脂フィルム袋に入れた布団等を圧縮し、その状態で該フィルム袋の開口部を自動または手動でシールして前記フィルム袋を密閉する布団等の圧縮梱包装置
第二に、左右一対のシリンダー装置により力を受けガイド手段で上下動をガイドされる上ごてで樹脂フィルム袋に入れた布団等を圧縮し、その状態で該フィルム袋の開口部を自動または手動でシールして前記フィルム袋を密閉する布団等の圧縮梱包装置
以上の２種の圧縮梱包装置を提案するものである。
【発明を実施するための最良の形態】
【０００５】以下本発明の布団等の圧縮梱包装置を図面に示す実施例に従い説明する。
まず、第一の“圧縮装置”である、操作に障害となる前端及び前端左右以外の部分を３本または４本のシリンダー装置により支持されながら力を受ける上ごてで布団等を押す“圧縮装置”を図面に示す実施例に従い説明する。
図１及び図２は本発明の布団等の圧縮梱包装置を示し、該布団等の圧縮梱包装置は装置本体（９）の上部において金属板等で作られた下ごて（２）を有する。
次に後端（図１の右方）中央に設けられた１本のシリンダー装置（４）と、操作に障害となる前端及び前端左右以外のエリアの左右に設けられた２本のシリンダー装置（４）（４）、すなわち３本のシリンダー装置（４）が示される。【０００６】それらの３本のシリンダー装置（４）で上ごて（１）を平行上下動させて、すなわち下降させて、上ごて（１）と下ごて（２）の間に挿入された樹脂フィルム袋（５）（図３参照）とそこに入れられた布団等（９９）（図５参照）を圧縮するものである。
３本のシリンダー装置（４）の各シリンダー（４ａ）は本体（９）に、他方各ピストン（４ｃ）の上端のヘッド（４ｅ）の孔には上ごて（１）に突設された引き棒（４ｇ）が挿入される。
以上の実施例の布団等の圧縮梱包装置の使用方法乃至作動は次の通り。
すなわち樹脂フィルム袋（５）（図３参照）とそこに入れられた布団等（９９）（図５参照）を下ごて（２）上に載置して３本のシリンダー装置に高圧エアーを送り込み駆動する。【０００７】これにより図２は待機状態であり、そこから上ごて（１）は下降していくが、３本の下降速度にばらつきがあっても、ヘッド（４ｅ）の孔は上ごて（１）に突設された引き棒（４ｇ）の直径よりも大きくされている（すなわち“がた”がある）ため上ごて（１）が前記ばらつきに起因して水平を維持しなくてもスムーズに下降する。
ここで樹脂フィルム袋（５）はあくまでも一例として図３のものが示されるので、図３の樹脂フィルム袋（５）の詳細を次に説明する。
すなわち樹脂フィルム袋（５）は袋部（５ａ）とシール部（５ｂ）を有して、一対のフィルム（５２）（５３）で構成され、その四角い形状の４辺の１辺だけが開かれており（図３の左側）、他の３辺は袋部（５ａ）であり、該袋部（５ａ）は一体シール部（５１）において一対のフィルム（５２）（５３）が一体化されたものである（密封されている）。
図３のＡ−Ａ断面である図４に、開かれた１辺を自動または手動でシールして樹脂フィルム袋（５）を密閉するための構造の一例が示される。【０００８】すなわち図示のものはシール部（５ｂ）を有し、これは一対のフィルム（５２）（５３）の内面にレール状雄突起ｅとレール状雌突起ｆとが対向して設けられ、それらは相互に押し付けられることにより図５に示す様に雄雌結合し、その結果樹脂フィルム袋（５）の内部空間を外部空間から（空気の出入りについて）遮断することになる。
図５には以上の樹脂フィルム袋（５）とそこに入れられた布団等（９９）が示されている。
すなわち下降した上ごて（１）と下ごて（２）の間に樹脂フィルム袋（５）とそこに入れられた布団等（９９）は圧縮され、その状態で該樹脂フィルム袋（５）の開口部を自動または手動でシールして樹脂フィルム袋（５）を密閉する。
図６は本発明の他の布団等の圧縮梱包装置であり（実線が圧縮作動状態で破線が圧縮前状態である）、該布団等の圧縮梱包装置は例えば後端（図６の右方）のコーナー部左右に設けられた２本のシリンダー装置（４）（４）と中央部左右（操作に障害となる前端及び前端左右以外の部分であれば中央部でなくても左右であればよい）に設けられた２本のシリンダー装置（４）（４）．を有する。【０００９】それらの４本のシリンダー装置（４）で上ごて（１）を平行上下動させて（破線の位置から実線の位置へと動かして、すなわち下降させて）上ごて（１）と下ごて（２）の間に挿入された樹脂フィルム袋（５）とそこに入れられた布団等（９９）を圧縮するものである。
４本の（図６は右側面図であり重なって見えないから２本しか示されないが、トータルで４本の）シリンダー装置（４）の各シリンダー（４ａ）は本体（９）に、他方各ピストン（４ｃ）の上端は上ごて（１）に接続されることになる。
樹脂フィルム袋（５）とそこに入れられた布団等（９９）の圧縮工程の作動は、図１及び図２の実施例が３本のシリンダー装置（４）であったのが図６の実施例では４本になる点において相違する。【００１０】すなわち上ごて（１）が破線の位置から実線の位置へと（下ごて（２）に対して）平行上下動して圧縮する。
ここで上ごて（１）の下降に際して４本の下降速度にばらつきがあっても、ピストン（４ｃ）のヘッドの孔は上ごて（１）に突設された引き棒の直径よりも大きくされている（すなわち“がた”がある）ため上ごて（１）が前記ばらつきに起因して水平を維持しなくてもスムーズに下降する点は図１及び図２の実施例と同様である。
以上が第一の“圧縮装置”であったが、次に第二の“圧縮装置”である、左右一対のシリンダー装置により力を受けガイド手段で上下動をガイドされる上ごてで布団等を押す“圧縮装置”を図面に示す実施例に従い説明する。
図７及び図８は本発明の他の布団等の圧縮梱包装置であり、該布団等の圧縮梱包装置は装置本体（９）の左側と右側の各々おいて上下方向に設けられたにレール（３）を有する。
該レール（３）は本体（９）に固定されたレール下体（３ａ）と上ごて（１）に固定されたレール上体（３ｂ）が相互にスライド可能にされたものである（従来公知の手段であるから詳細は説明しない）。【００１１】要するにレール上体（３ｂ）がレール下体（３ａ）に沿ってスライドして上ごて（１）を上下動させるのである。
以上の実施例の布団等の圧縮梱包装置の使用方法乃至作動としては、使用者はシリンダー装置（４）を駆動する、例えばエアーシリンダーならば高圧エアーをシリンダー室の一方に供給し、ピストン（４ｃ）を図８（図８は待機状態）から下方に動かす。
これにより上ごて（１）はレール（３）で拘束されているから、該レール（３）に沿って平行上下動して下降していき、樹脂フィルム袋（５）とそこに入れられた布団等（９９）は上ごて（１）と下ごて（２）の間で圧縮されていく。
以上を要するに、図７及び図８の実施例は上ごて（１）の上下動の際にレール（３）というガイド手段によって、該上ごて（１）が大きく傾かない状態になって布団等を押すのである。【００１２】図９及び図１０は本発明の他の布団等の圧縮梱包装置であり、該布団等の圧縮梱包装置は装置本体（９）の後方に上下方向に設けられたにレール（２ｃ）を有する。
該レール（２ｃ）には間隔をおいて２つの車輪（２ｂ）が前後方向に拘束された状態で上下に走行可能に設けられる。
該車輪（２ｂ）は、上ごて（１）に固定された側板（２ａ）に取り付けられて、上ごて（１）をレール（２ｃ）に沿って（下ごて（２）に対して）平行上下動させるためのものである（破線が圧縮前状態であり実線が圧縮作動状態）。
すなわち使用時には使用者はシリンダー装置（４）を駆動する、例えばエアーシリンダーならば高圧エアーをシリンダー室の一方に供給し、ピストン（４ｃ）を図１６の下方に動かす。
これにより上ごて（１）はレール（２ｃ）と２つの車輪（２ｂ）で拘束されているから、該レール（２ｃ）に沿って（下ごて（２）に対して）平行上下動して下降していき、樹脂フィルム袋（５）とそこに入れられた布団等（９９）は上ごて（１）と下ごて（２）の間で圧縮されていく。
【発明の効果】
【００１３】以上の実施例に示した本発明の効果を次に示す。
（１）本発明は、次の２種の発明であり：
第一に、操作に障害となる前端及び前端左右以外の部分を３本または４本のシリンダー装置により支持されながら力を受ける上ごてで布団等を圧縮し、その状態で該フィルム袋の開口部を自動または手動でシールして前記フィルム袋を密閉する布団等の圧縮梱包装置
第二に、左右一対のシリンダー装置により力を受けガイド手段で上下動をガイドされる上ごてで樹脂フィルム袋に入れた布団等を圧縮し、その状態で該フィルム袋の開口部を自動または手動でシールして前記フィルム袋を密閉する布団等の圧縮梱包装置
以上の第一または第二の圧縮装置であるため、減圧を用いる必要がなく、その結果圧縮梱包の処理時間が短い（早く圧縮梱包できる）。
（２）本発明は前述の第一または第二の圧縮装置であるため、減圧を用いる必要がなく、その結果装置が単純になる。
【図面の簡単な説明】
【００１４】
【図１】本発明の布団等の圧縮梱包装置の平面図
【図２】図１の布団等の圧縮梱包装置の右側面図
【図３】本発明の布団等の圧縮梱包装置に用いることが可能な樹脂フィルム袋のあくまでも一例の斜視図
【図４】図３のＡ−Ａ断面図
【図５】図３の樹脂フィルム袋に布団等を圧縮梱包した状態の横断面図
【図６】本発明の他の布団等の圧縮梱包装置の右側面図
【図７】本発明の他の布団等の圧縮梱包装置の平面図
【図８】図７の圧縮梱包装置の右側面図
【図９】本発明の他の布団等の圧縮梱包装置の右側面図
【図１０】図９の上ごてがガイドされて動くレール部分の斜視図
【符号の説明】
【００１５】１      上ごて
２      下ごて
２ａ    側板
２ｂ    車輪
２ｃ    レール
３      レール
３ａ    レール下体
３ｂ    レール上体
４      シリンダー装置
４ａ    シリンダー
４ｃ    ピストン
４ｄ    軸
４ｅ    ヘッド
４ｇ    引き棒
５      樹脂フィルム袋
５ａ    袋部
５ｂ    シール部
５１    一体シール部
５２    フィルム
５３    フィルム
９      装置本体
９９    布団等
ｅ      レール状雄突起
ｆ      レール状雌突起
Ｓ      スペース
【図１】
2019069813.tif 000003
【図２】
2019069813.tif 000004
【図３】
2019069813.tif 000005
【図４】
2019069813.tif 000006
【図５】
2019069813.tif 000007
【図６】
2019069813.tif 000008
【図７】
2019069813.tif 000009
【図８】
2019069813.tif 000010
【図９】
2019069813.tif 000011
【図１０】
2019069813.tif 000012